(57)【要約】  室内機は、筐体１内に軸流ファン３１、熱交換器４０及び電気品箱６０を備えている。熱交換器４０は、軸流ファン３１の下流側（下方）に配置されている。電気品箱６０は、軸流ファン３１の一方の側方に配置されている。電気品箱６０と熱交換器４０との間には、筐体１の背面部を構成する背面板２に取り付けられた仕切板７０が設けられている。仕切板７０の上縁部７３、前縁部７４及び下縁部７５と筐体１との間がシールされている。
2016166875.tif 000002
【特許請求の範囲】
【請求項１】
上面部に吸込口が形成され、該吸込口よりも下方に吹出口が形成され、背面側に背面板を有する筐体と、
前記筐体内における前記吸込口の下流側に設けられた軸流ファンと、
前記筐体内における前記軸流ファンの下流側に設けられ、前記軸流ファンによって前記筐体内へ吸い込まれた空気と冷媒とを熱交換させる熱交換器と、
前記熱交換器の一方の側方に設けられ、制御基板が収容された電気品箱と、
前記背面板に取り付けられ、前記熱交換器と前記電気品箱との間に配置された仕切板と、
を備え、
前記仕切板の上縁部、前縁部及び下縁部と前記筐体との間がシールされている空気調和機の室内機。
【請求項２】
前記仕切板の前記上縁部、前記前縁部及び前記下縁部と前記筐体との間に、シール材が挟み込まれている請求項１に記載の空気調和機の室内機。
【請求項３】
前記熱交換器の冷媒流路と外部の機器とを接続する接続配管を備え、
前記背面板は、前記接続配管を収容する配管溝が形成され、
前記仕切板は、その後端部に、前記配管溝に収容された前記接続配管を押さえる配管押さえ部を有する請求項１又は請求項２に記載の空気調和機の室内機。
【請求項４】
前記接続配管は、少なくとも前記配管溝に収容されている部分に配管カバーを備え、
前記仕切板の前記配管押さえ部は、前記配管溝に収容された前記接続配管と対向する位置に、前記配管カバーを押圧する少なくとも１つのリブを備えた請求項３に記載の空気調和機の室内機。
【請求項５】
前記筐体は、内周側に前記軸流ファンが配置されるベルマウスが形成されたファン外枠を備え、
前記仕切板の前記上縁部と前記ファン外枠との間がシールされている請求項１〜請求項４のいずれか一項に記載の空気調和機の室内機。
【請求項６】
前記筐体は、前記熱交換器から滴下した露を受けるドレンパンを備え、
前記仕切板の前記下縁部と前記ドレンパンとの間がシールされている請求項１〜請求項５のいずれか一項に記載の空気調和機の室内機。
【発明の詳細な説明】
【技術分野】
【０００１】
本発明は、電気品箱への露付きの抑制を図った空気調和機の室内機に関する。
【背景技術】
【０００２】
従来、電気品箱への露付きの抑制を図った空気調和機の室内機が提案されている（例えば、特許文献１参照）。特許文献１に記載の空気調和機の室内機は、上部に吸込口が形成され、前面部下側に吹出口が形成された筐体を備えている。そして、筐体の内部には、クロスフローファン、及び、該クロスフローファンの上流側を取り囲むように配置された熱交換器が収容されている。また、特許文献１に記載の空気調和機の室内機は、熱交換器の一方の側方に、制御基板等を収容した電気品箱（電装ボックス）が設けられている。そして、特許文献１に記載の空気調和機の室内機には、電気品箱への露付きの抑制するため、熱交換器と電気品箱との間に、仕切部材が設けられている。この仕切部材は、単に、熱交換器に発生した露が飛散して電気品箱に付着することを抑制するものである。このため、仕切部材の周囲には隙間が形成されている。
【先行技術文献】
【特許文献】
【０００３】
【特許文献１】特開２０１１−５８７７９号公報
【発明の概要】
【発明が解決しようとする課題】
【０００４】
近年、空気調和機の室内機に用いられるファンとして、クロスフローファンに換えて、軸流ファン（例えばプロペラファン）を採用したものも提案されている。このように軸流ファンが用いられた空気調和機の室内機は、筐体の内部において、吸込口の下流側に軸流ファンが設けられ、軸流ファンの下流側に熱交換器が設けられる。このように軸流ファンが用いられた空気調和機の室内機においては、特許文献１で示された仕切部材では、電気品箱への露付きを抑制できないという課題があった。【０００５】
詳しくは、クロスフローファンを用いた空気調和機の室内機は、クロスフローファンが駆動されると、筐体の上部に形成された吸込口から室内の空気を吸込む。吸込口から筐体内に流入したこの空気は、熱交換器に流入し、熱交換器内を流れる冷媒と熱交換した後、クロスフローファンにより吹出口から室内に排出される。つまり、クロスフローファンを用いた空気調和機の室内機は、熱交換器の下流側にクロスフローファンが設けられているため、熱交換器を通過する空気は、クロスフローファンによって吸引される空気となる。このため、室内機が運転されると、熱交換器と電気品箱との間に設けられた仕切部材の周囲の隙間では、電気品箱側から熱交換器側に向かって空気が流れ、当該空気は熱交換器を通った後に吹出口から流出することとなる。【０００６】
一方、熱交換器の上流側に軸流ファンを備えた空気調和機の室内機は、軸流ファンが駆動されると、筐体の上部に形成された吸込口から室内の空気を吸込む。吸込口から流入したこの空気は、軸流ファンに流入する。この空気は、軸流ファンから吹き出されて熱交換器側へ送られ、熱交換器に流入する。そして、熱交換器に流入した空気は、熱交換器内を流れる冷媒と熱交換した後、吹出口から室内に排出される。つまり、熱交換器の上流側に軸流ファンを備えた空気調和機の室内機は、軸流ファンによって熱交換器へ空気を押し込む構成（熱交換器の下流側から空気を吸引しない構成）となっている。【０００７】
このため、熱交換器の上流側に軸流ファンを備えた空気調和機の室内機に、特許文献１で示された仕切部材を設けた場合、熱交換器と電気品箱との間に設けられた仕切部材の周囲の隙間では、熱交換器側から電気品箱側に向かって空気が流れることとなる。したがって、室内機が冷房運転する際には、仕切部材の周囲の隙間から熱交換後の冷たい空気が電気品箱側へ漏れ出し、電気品箱を冷却し、電気品箱に結露が発生してしまう。このため、熱交換器の上流側に軸流ファンを備えた空気調和機の室内機に、特許文献１で示された仕切部材を設けても、電気品箱への結露によって、該電気品箱に露付きが発生してしまい、制御基板に不具合が発生してしまう。【０００８】
本発明は、上述のような課題を解決するためになされたものであり、熱交換器の上流側に軸流ファンを備えた空気調和機の室内機において、電気品箱への露付きを抑制できる空気調和機の室内機を得ることを目的とする。
【課題を解決するための手段】
【０００９】
本発明に係る空気調和機の室内機は、上面部に吸込口が形成され、該吸込口よりも下方に吹出口が形成され、背面側に背面板を有する筐体と、前記筐体内における前記吸込口の下流側に設けられた軸流ファンと、前記筐体内における前記軸流ファンの下流側に設けられ、前記軸流ファンによって前記筐体内へ吸い込まれた空気と冷媒とを熱交換させる熱交換器と、前記熱交換器の一方の側方に設けられ、制御基板が収容された電気品箱と、前記背面板に取り付けられ、前記熱交換器と前記電気品箱との間に配置された仕切板と、を備え、前記仕切板の上縁部、前縁部及び下縁部と前記筐体との間がシールされているものである。
【発明の効果】
【００１０】
本発明においては、背面板に取り付けられ、熱交換器と電気品箱との間に配置された仕切板を備え、仕切板の上縁部、前縁部及び下縁部と筐体との間をシールしている。このため、本発明に係る空気調和機の室内機は、仕切板の周囲の隙間から熱交換後の冷たい空気が電気品箱側へ漏れ出して電気品箱に結露が発生してしまうこと、つまり電気品箱への露付きを抑制することができる。
【図面の簡単な説明】
【００１１】
【図１】本発明の実施の形態に係る空気調和機の室内機を右前方上側から見た組立斜視図である。
【図２】本発明の実施の形態に係る空気調和機の室内機を右前方上側から見た分解斜視図である。
【図３】本発明の実施の形態に係る空気調和機の室内機において、意匠パネルを取り外した状態を右前方上側から見た組立斜視図である。
【図４】本発明の実施の形態に係る空気調和機の室内機において、意匠パネル及び電気品箱を取り外した状態を右前方上側から見た組立斜視図である。
【図５】本発明の実施の形態に係る空気調和機の室内機における仕切板近傍を右前方上側から見た組立斜視図である。
【図６】本発明の実施の形態に係る空気調和機の室内機の仕切板を図５と同じ観察方向で示した斜視図である。
【図７】本発明の実施の形態に係る空気調和機の室内機における仕切板近傍を右前方下側から見た組立斜視図である。
【図８】本発明の実施の形態に係る空気調和機の室内機の仕切板を図７と同じ観察方向で示した斜視図である。
【図９】本発明の実施の形態に係る空気調和機の室内機における仕切板及び接続配管近傍を右前方下側から見た組立斜視図であり、背面板の右側端部を切断して示したものである。
【図１０】図９から仕切板を取り外した状態を示す組立斜視図である。
【図１１】本発明の実施の形態に係る空気調和機の室内機の仕切板を左後方下側から見た斜視図である。
【図１２】図９のＡ−Ａ断面図である。
【図１３】図９のＢ−Ｂ断面図である。
【発明を実施するための形態】
【００１２】
図１は、本発明の実施の形態に係る空気調和機の室内機を右前方上側から見た組立斜視図である。図２は、この空気調和機の室内機を右前方上側から見た分解斜視図である。図３は、この空気調和機の室内機において、意匠パネルを取り外した状態を右前方上側から見た組立斜視図である。また、図４は、この空気調和機の室内機において、意匠パネル及び電気品箱を取り外した状態を右前方上側から見た組立斜視図である。
【００１３】
本実施の形態に係る室内機１００は、上面部に吸込口４が形成され、該吸込口４よりも下方に吹出口５が形成され筐体１を備えている。なお、本実施の形態では、筐体１の下面部に吹出口５が形成されている。そして、吸込口４から吹出口５に至る筐体１内の風路には、例えばプロペラファンである軸流ファン３１と、軸流ファン３１によって筐体１内へ吸い込まれた空気（室内空気）と冷媒とを熱交換させる熱交換器４０とが、設けられている。
【００１４】
筐体１は、略直方体の箱型形状をしており、背面板２及び意匠パネル３を備えている。背面板２は、筐体１の背面部を構成するものである。意匠パネル３は、筐体１の前面部（正面部）、左右側面部、上面部及び下面部を構成するものである。つまり、吸込口４及び吹出口５は、意匠パネル３に形成されている。また、吹出口５には、該吹出口５から吹き出される空気の上下方向の向きを調整する上下風向板（図示せず）、及び、該吹出口５から吹き出される空気の左右方向の向きを調整する左右風向板（図示せず）が設けられている。なお、本実施の形態では、背面板２及び意匠パネル３で筐体１の外部形状を構成したが、これはあくまでも一例である。
【００１５】
軸流ファン３１は、筐体１内における吸込口４の下流側に設けられている。本実施の形態では、２つの軸流ファン３１が筐体１の左右方向に沿って並設されている。また、本実施の形態にかかる室内機１００においては、これら軸流ファン３１をユニットとして（一度に）背面板２に取り付ける構成としている。このため、筐体１は、内周側に軸流ファン３１が配置されるベルマウス１１が形成されたファン外枠１０を備えている。上述のように、本実施の形態では、２つの軸流ファン３１が筐体１の左右方向に沿って並設されている。このため、ファン外枠１０にも、筐体１の左右方向に沿って２つのベルマウス１１が並設されている。なお、軸流ファン３１の数はあくまでも一例であり、軸流ファン３１の数は、室内機１００が要求される風量に基づいて適宜決定すればよい。
【００１６】
熱交換器４０は、筐体１内において、軸流ファン３１の下流側に設けられている。この熱交換器４０は、筐体１内へ吸い込まれた空気（室内空気）と冷媒とを熱交換させる熱交換器本体４１と、熱交換器本体４１の左右側端部に取り付けられた一対の側板（右側板４７，左側板４８）を備えている。熱交換器本体４１は、筐体１の前面側から背面側にかけて、第１熱交換要素４２、第２熱交換要素４３、第３熱交換要素４４及び第４熱交換要素４５を有しており、側面視Ｗ字状に配置されている。第１熱交換要素４２、第２熱交換要素４３、第３熱交換要素４４及び第４熱交換要素４５のそれぞれは、例えば、所定の間隔を介して並設された複数の伝熱フィンと、伝熱フィンの並設方向にこれら伝熱フィンを貫通する複数の伝熱管（冷媒流路）とで構成されたプレートフィン型熱交換器である。熱交換器４０は、右側板４７及び左側板４８を介して、筐体１の背面板２に取り付けられる。なお、熱交換器４０の構成は、この構成に限定されるものではない。室内機１００が求められる熱交換容量に応じて、各熱交換要素の大きさを異ならせてもよいし、熱交換要素の数（つまり側面視形状）を異ならせてもよい。
【００１７】
室内機１００が冷房運転する場合、筐体１内に吸い込まれた空気が熱交換器４０の熱交換器本体４１で冷却される際に、熱交換器本体４１に結露が生じる場合がある。このため、本実施の形態に係る筐体１は、熱交換器４０の下方にドレンパン２０を備えている。このドレンパン２０は、露受部２１、露受部２２及び連絡路２３等を備えている。露受部２１は、第１熱交換要素４２の下端部と第２熱交換要素４３の下端部との接続箇所の下方に配置され、第１熱交換要素４２及び第２熱交換要素４３から滴下した露を受け、回収するものである。露受部２２は、第３熱交換要素４４の下端部と第４熱交換要素４５の下端部との接続箇所の下方に配置され、第３熱交換要素４４及び第４熱交換要素４５から滴下した露を受け、回収するものである。連絡路２３は、露受部２１及び露受部２２の両端部を接続するものである。露受部２１及び露受部２２で回収された露は、連絡路２３に接続された図示せぬ排水パイプを介して、筐体１の外部へ排出される構成となっている。また、ドレンパン２０は、露受部２１、露受部２２及び連絡路２３で囲まれた開口部２４が形成される。この開口部２４は、熱交換器４０から吹出口５へ至る風路を構成する。なお、ドレンパン２０の形状は、熱交換器本体４１に応じて決定されるものであり、上記の構成に限定されるものではない。
【００１８】
また、本実施の形態に係る筐体１は、熱交換器４０の前方に正面カバー６を備えている。この正面カバー６は、ファン外枠１０の前部、熱交換器４０の側板（右側板４７，左側板４８）の前部及びドレンパン２０の前部で形成される開口部を閉塞し、当該区間において風路の前面壁を構成するものである。なお、正面カバー６を設けず、当該区間における風路の前面壁として、意匠パネル３の前面部３ａを用いてもよい。
【００１９】
また、本実施の形態に係る室内機１００は、筐体１内に、電気品箱６０も設けられている。電気品箱６０は、軸流ファン３１の回転数等を制御する制御基板等を収容するものである。この電気品箱６０は、熱交換器４０の一方の側方（本実施の形態では右側）に配置されている。
【００２０】
ここで、熱交換器４０の上流側に軸流ファン３１を備えた本実施の形態に係る室内機１００においては、軸流ファン３１から吹き出された空気が熱交換器４０へ送られ、当該空気は、熱交換器４０の冷媒流路内を流れる冷媒と熱交換した後、吹出口５から室内に排出される。つまり、室内機１００は、軸流ファン３１によって熱交換器４０へ空気を押し込む構成（熱交換器４０の下流側から空気を吸引しない構成）となっている。
【００２１】
このため、室内機１００においては、熱交換器を通過した後の空気が、熱交換器４０側から電気品箱６０側に向かって空気が流れることとなる。したがって、室内機１００が冷房運転する際には、熱交換後の冷たい空気が電気品箱６０側へ漏れ出し、電気品箱６０を冷却し、電気品箱６０に結露が発生することが懸念される。つまり、電気品箱６０への結露によって、該電気品箱６０に露付きが発生してしまい、制御基板に不具合が発生してしまうことが懸念される。
【００２２】
このため、本実施の形態に係る室内機１００は、熱交換器４０と電気品箱６０との間に仕切板７０を配置し、電気品箱６０への露付きを防止している。
以下、図面を用いて、仕切板７０の詳細構成について説明する。
【００２３】
図５は、本発明の実施の形態に係る空気調和機の室内機における仕切板近傍を右前方上側から見た組立斜視図である。図６は、この空気調和機の室内機の仕切板を図５と同じ観察方向で示した斜視図である。図７は、この空気調和機の室内機における仕切板近傍を右前方下側から見た組立斜視図である。また、図８は、この空気調和機の室内機の仕切板を図７と同じ観察方向で示した斜視図である。
【００２４】
仕切板７０は、例えば略直方体をしている。そして、仕切板７０の上縁部７３、前縁部７４及び下縁部７５の全域には、シール材７８が例えば貼り付け等によって取り付けられている。また、仕切板７０は、その後端部に、外側（右側）へ突設された取付部７１を備えている。取付部７１に形成された貫通穴７２にネジ８０を挿入し、該ネジ８０を背面板２に形成されたネジ穴にねじ込むことにより、仕切板７０は背面板２に取り付けられる。なお、仕切板７０の背面板２への取付構成は、この構成に限定されるものではない。例えば、背面板２に爪又は該爪が係合される係合部（例えば凹部）の一方を形成し、仕切板７０の取付部７１に前記爪又は前記係合部の他方を形成し、前記爪を前記係合部に係合して、仕切板７０を背面板２に取り付けてもよい。
【００２５】
また、本実施の形態に係る仕切板７０の上縁部７３は、ファン外枠１０の右側端部１０ａと対向している。そして、仕切板７０の上縁部７３とファン外枠１０の右側端部１０ａとの間で、仕切板７０の上縁部７３に設けられたシール材７８を挟み込む構成となっている。また、本実施の形態に係る仕切板７０の前縁部７４は、正面カバー６の右側端部６ａと対向している。そして、仕切板７０の前縁部７４と正面カバー６の右側端部６ａとの間で、仕切板７０の前縁部７４に設けられたシール材７８を挟み込む構成となっている。また、本実施の形態に係る仕切板７０の下縁部７５は、ドレンパン２０の右側端部２０ａと対向している。そして、仕切板７０の下縁部７５とドレンパン２０の右側端部２０ａとの間で、仕切板７０の下縁部７５に設けられたシール材７８を挟み込む構成となっている。これにより、仕切板７０の上縁部７３、前縁部７４及び下縁部７５がシールされることとなる。つまり、仕切板７０により、熱交換器４０から吹出口５まで至る流路と、電気品箱６０との間が閉塞された状態となる。
【００２６】
ここで、室内機１００の熱交換器４０を冷凍サイクル回路の構成の１つとするためには、図２に示すように、熱交換器４０の冷媒流路と外部の機器（冷凍サイクル回路を構成する圧縮機、膨張装置等）とを接続配管５０で接続する必要がある。このため、接続配管５０の周辺を通って、熱交換後の空調空気が吹出口５以外から漏れ出し、室内機１００の性能が悪化してしまうことが懸念される。本実施の形態では、仕切板７０を以下のように構成することにより、このような室内機１００の性能の悪化も防止している。
【００２７】
図９は、本発明の実施の形態に係る空気調和機の室内機における仕切板及び接続配管近傍を右前方下側から見た組立斜視図であり、背面板の右側端部を切断して示したものである。図１０は、図９から仕切板を取り外した状態を示す組立斜視図である。図１１は、この空気調和機の室内機の仕切板を左後方下側から見た斜視図である。図１２は、図９のＡ−Ａ断面図である。また、図１３は、図９のＢ−Ｂ断面図である。
【００２８】
背面板２は、仕切板７０の取付部７１と対向する位置に、接続配管５０を収容する配管溝１３が形成されている。また、接続配管５０の外周側には、少なくとも配管溝１３に収容される部分に配管カバー５１が設けられている。このため、仕切板７０を背面板２に取り付けることにより、配管溝１３に収容された接続配管５０は、仕切板７０の取付部７１によって押さえられることとなる。つまり、仕切板７０の取付部７１は、配管押さえ部７６としても機能する。換言すると、仕切板７０は、配管押さえ部７６も有している。仕切板７０は、熱交換器４０と電気品箱６０との間を仕切る部品と、接続配管５０を押さえる部品とを一体形成したものとなっているので、室内機１００の部品数及び部品取付工数を削減でき、室内機１００を安価に提供することができる。
【００２９】
また、仕切板７０の取付部７１（つまり配管押さえ部７６）は、接続配管５０と対向する位置に、少なくとも１つのリブ７７を備えている。このため、仕切板７０を背面板２に取り付けることにより、配管カバー５１がリブ７７によって押圧される。これにより、配管溝１３と仕切板７０の取付部７１とで囲まれた空間を配管カバー５１で閉塞できるので、熱交換後の空調空気が吹出口５以外から漏れ出し、室内機１００の性能が悪化してしまうことを防止できる。なお、本実施の形態では、リブ７７を複数備えている。このため、熱交換後の空調空気が吹出口５以外から漏れ出してしまうこと、つまり室内機１００の性能が悪化してしまうことをより防止できる。
【００３０】
（動作説明）
続いて、上述のように構成された室内機１００の動作について説明する。
軸流ファン３１が駆動されると、室内の空気は、筐体１（より詳しくは意匠パネル３）の上部に形成された吸込口４から筐体１内に吸い込まれる。吸込口４から筐体１内に流入したこの空気は、軸流ファン３１に流入する。この空気は、軸流ファン３１によって熱交換器４０側に吹き出される。この空気は、熱交換器４０に流入し、熱交換器４０の冷媒流路を流れる冷媒と熱交換した後、空調空気として吹出口５から室内に排出される。
【００３１】
このとき、室内機１００は、軸流ファン３１によって熱交換器４０へ空気を押し込む構成となっている。つまり、熱交換器４０の下流側から空気を吸引しない構成となっている。このため、空調空気（熱交換器４０で熱交換した後の空気）の一部は、仕切板７０周辺の隙間から電気品箱６０の方へ漏れ出ることが懸念される。冷房運転時にこのように空調空気の一部が電気品箱６０の方へ漏れ出ると、電気品箱６０を冷却し、電気品箱６０に結露が発生する。つまり、電気品箱６０への結露によって、該電気品箱６０に露付きが発生してしまい、制御基板に不具合が発生してしまう場合がある。また、電気品箱６０周辺の意匠パネル３等も空調空気で冷却されて結露し、意匠性が悪化してしまう場合もある。また、空調空気が吹出口５以外から漏れ出し、室内機１００の性能が悪化してしまう。
【００３２】
しかしながら、本実施の形態に係る室内機１００は、上述のように、仕切板７０により、熱交換器４０から吹出口５まで至る流路と電気品箱６０との間を閉塞している。このため、本実施の形態に係る室内機１００は、空調空気の一部が仕切板７０周辺の隙間から電気品箱６０の方へ漏れ出し、電気品箱６０に結露が発生することを防止できる。つまり、本実施の形態に係る室内機１００は、電気品箱６０への結露によって、該電気品箱６０に露付きが発生してしまい、制御基板に不具合が発生してしまうことを防止できる。また、本実施の形態に係る室内機１００は、電気品箱６０周辺の意匠パネル３等も空調空気で冷却されて結露し、意匠性が悪化してしまうことも防止できる。また、本実施の形態に係る室内機１００は、空調空気が吹出口５以外から漏れ出し、室内機１００の性能が悪化してしまうことも防止できる。
【００３３】
さらに、本実施の形態に係る室内機１００は、配管カバー５１をリブ７７によって押圧し、配管溝１３と仕切板７０の取付部７１とで囲まれた空間を配管カバー５１で閉塞できるので、空調空気が吹出口５以外から漏れ出し、室内機１００の性能が悪化してしまうことをさらに防止できる。
【００３４】
なお、本実施の形態では、仕切板７０の上縁部７３、前縁部７４及び下縁部７５を、ファン外枠１０、正面カバー６及びドレンパン２０との間でシールした。しかしながら、熱交換器４０から吹出口５まで至る流路と電気品箱６０との間を仕切板７０で閉塞できれば、上記の構成に限定されるものではない。例えば、筐体１の上面部（例えば意匠パネル３の上面部３ｂ）と仕切板７０の上縁部７３との間でシール材７８を挟み込んでもよい。また例えば、筐体１の前面部（例えば意匠パネル３の前面部３ａ）と仕切板７０の前縁部７４の間でシール材７８を挟み込んでもよい。また例えば、筐体１の下面部（例えば意匠パネル３の下面部３ｃ）と仕切板７０の下縁部７５との間でシール材７８を挟み込んでもよい。つまり、筐体１と仕切板７０の上縁部７３、前縁部７４及び下縁部７５との間がシールされていれば、上記の効果を得ることができる。
【００３５】
また、筐体１と仕切板７０の上縁部７３、前縁部７４及び下縁部７５との間のシール構造も、上記の構造に限定されるものではない。例えば、電気品箱６０側から、筐体１と仕切板７０の上縁部７３、前縁部７４及び下縁部７５との間を塞ぐようにシール材を貼り付けてもよい。また例えば、筐体１と仕切板７０の上縁部７３、前縁部７４及び下縁部７５との間にシール材を注入し、これらの間を閉塞してもよい。
【符号の説明】
【００３６】
１  筐体、２  背面板、３  意匠パネル、３ａ  前面部、３ｂ  上面部、３ｃ  下面部、４  吸込口、５  吹出口、６  正面カバー、６ａ  右側端部、１０  ファン外枠、１０ａ  右側端部、１１  ベルマウス、１３  配管溝、２０  ドレンパン、２０ａ  右側端部、２１  露受部、２２  露受部、２３  連絡路、２４  開口部、３１  軸流ファン、４０  熱交換器、４１  熱交換器本体、４２  第１熱交換要素、４３  第２熱交換要素、４４  第３熱交換要素、４５  第４熱交換要素、４７  右側板、４８  左側板、５０  接続配管、５１  配管カバー、６０  電気品箱、７０  仕切板、７１  取付部、７２  貫通穴、７３  上縁部、７４  前縁部、７５  下縁部、７６  配管押さえ部、７７  リブ、７８  シール材、８０  ネジ、１００  室内機。
【図１】
2016166875.tif 000003
【図２】
2016166875.tif 000004
【図３】
2016166875.tif 000005
【図４】
2016166875.tif 000006
【図５】
2016166875.tif 000007
【図６】
2016166875.tif 000008
【図７】
2016166875.tif 000009
【図８】
2016166875.tif 000010
【図９】
2016166875.tif 000011
【図１０】
2016166875.tif 000012
【図１１】
2016166875.tif 000013
【図１２】
2016166875.tif 000014
【図１３】
2016166875.tif 000015
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
上面部に吸込口が形成され、該吸込口よりも下方に吹出口が形成され、背面側に背面板を有する筐体と、
前記筐体内における前記吸込口の下流側に設けられた軸流ファンと、
前記筐体内における前記軸流ファンの下流側に設けられ、前記軸流ファンによって前記筐体内へ吸い込まれた空気と冷媒とを熱交換させる熱交換器と、
前記熱交換器の一方の側方に設けられ、制御基板が収容された電気品箱と、
前記背面板に取り付けられ、前記熱交換器と前記電気品箱との間に配置された仕切板と、
を備え、
前記仕切板の上縁部、前縁部及び下縁部と前記筐体との間がシールされている空気調和機の室内機。
【請求項２】
前記仕切板は、前記熱交換器から前記吹出口まで至る流路と、前記電気品箱との間を閉塞する構成である請求項１に記載の空気調和機の室内機。
【請求項３】
前記仕切板の前記上縁部、前記前縁部及び前記下縁部と前記筐体との間に、シール材が挟み込まれている請求項１又は請求項２に記載の空気調和機の室内機。
【請求項４】
前記熱交換器の冷媒流路と外部の機器とを接続する接続配管を備え、
前記背面板は、前記接続配管を収容する配管溝が形成され、
前記仕切板は、その後端部に、前記配管溝に収容された前記接続配管を押さえる配管押さえ部を有する請求項１〜請求項３のいずれか一項に記載の空気調和機の室内機。
【請求項５】
前記接続配管は、少なくとも前記配管溝に収容されている部分に配管カバーを備え、
前記仕切板の前記配管押さえ部は、前記配管溝に収容された前記接続配管と対向する位置に、前記配管カバーを押圧する少なくとも１つのリブを備えた請求項４に記載の空気調和機の室内機。
【請求項６】
前記筐体は、内周側に前記軸流ファンが配置されるベルマウスが形成されたファン外枠を備え、
前記仕切板の前記上縁部と前記ファン外枠との間がシールされている請求項１〜請求項５のいずれか一項に記載の空気調和機の室内機。
【請求項７】
前記筐体は、前記熱交換器から滴下した露を受けるドレンパンを備え、
前記仕切板の前記下縁部と前記ドレンパンとの間がシールされている請求項１〜請求項６のいずれか一項に記載の空気調和機の室内機。
【国際調査報告】
2016166875.tif 000016
2016166875.tif 000017
2016166875.tif 000018
2016166875.tif 000019